(57)【特許請求の範囲】
【請求項１】
両側一対の筒状側枠部材と両側枠部材の上端部間に横架される踏み桟とで門形に形成されて上下複数段に配置される門形梯子部材の側枠部材どうしを入れ子式に嵌合してなる伸縮梯子において、
梯子収縮時に上下に隣り合う門形梯子部材の踏み桟間で作業者の指を詰めるのを防止するためにその指詰め防止に必要な踏み桟間の間隔を保持する間隔保持手段を設け、
該間隔保持手段は、各門形梯子部材の各側枠部材上端部に嵌合固定される踏み桟取付用短管部材の上端部又は下端部を指詰め防止に必要な踏み桟間の間隔が確保されるように上方又は下方へ所要長さだけ延長することによって形成された延長管部からなることを特徴とする伸縮梯子。
【請求項２】
両側一対の筒状側枠部材と両側枠部材の上端部間に横架される踏み桟とで門形に形成されて上下複数段に配置される門形梯子部材の側枠部材どうしを入れ子式に嵌合してなる伸縮梯子において、
梯子収縮時に上下に隣り合う門形梯子部材の踏み桟間で作業者の指を詰めるのを防止するためにその指詰め防止に必要な踏み桟間の間隔を保持する間隔保持手段を設け、
該間隔保持手段は、各門形梯子部材の各側枠部材上端部に嵌合固定される踏み桟取付用短管部材の下端又は上端に一端が接するように各側枠部材に嵌合される衝撃緩和用リングであって、指詰め防止に必要な踏み桟間の間隔が確保されるようにリング幅が拡張された衝撃緩和用リングからなることを特徴とする伸縮梯子。
【発明の詳細な説明】
【技術分野】
【０００１】
本発明は、両側一対の筒状側枠部材と両側枠部材の上端部間に横架される踏み桟とで門形に形成されて上下複数段に配置される門形梯子部材の側枠部材どうしを入れ子式に嵌合して伸縮自在とした伸縮梯子の改良に関するものである。
【背景技術】
【０００２】
図６の(a) は従来のアルミ製の伸縮梯子Ｂを伸張状態で示す斜視図、(b) は同伸縮梯子Ｂを収縮状態で示す斜視図であり、図７は収縮状態における伸縮梯子Ｂの例えば下から２番目〜４番目の門形梯子部材１2 〜１4 の一部拡大断面図である。この伸縮梯子Ｂは、各門形梯子部材１1 〜１n が両側一対の筒状側枠部材２1 〜２n ，２1 〜２n と両側枠部材２1 〜２n ，２1 〜２n の上端部に横架連結された踏み桟３1 〜３n とからなるもので、各踏み桟３1 〜３n の両端部は、両側枠部材２1 〜２n ，２1 〜２n の夫々上端部に嵌合固定された踏み桟取付用短管部材４1 〜４n に一体的に連結されており、各踏み桟取付用短管部材４1 〜４n の下端側には、梯子収縮時に上下に隣り合う短管部材４1 〜４n どうしが衝当する際の衝撃を緩和するためのゴム製の衝撃緩和用リング５1 〜５n が側枠部材２1 〜２n に嵌合して取り付けられている。尚、一番下の門形梯子部材１1 には両側枠部材２1 ，２1 の下端部に踏み桟３0 が取り付けられている。
【０００３】
各門形梯子部材１1 〜１n には各踏み桟３1 〜３n の両端部に、梯子伸張時に上段側梯子部材の踏み桟と下段側の踏み桟とを一定間隔に保持するためのストッパー手段９が設けられている。このストッパー手段９は、各踏み桟３1 〜３n 内部をスライドするスライダー１１にストッパーピン１２を一体的に取り付け、このピン１２の先端部１２ａが各短管部材４1 〜４n の開口部１３を通って各側枠部材２1 〜２n のピン挿通孔１４から突出するように付勢するコイルバネ１５を、スライダー１１と、各踏み桟３1 〜３n に固定されたピンガイド１６との間に介装したもので、各踏み桟３1 〜３n の正面側にはスライダー１１をコイルバネ１５の付勢力に抗してスライド操作する操作片１７（仮想線図示）が設けてある。この操作片１７は、取付軸１８（仮想線図示）によってスライダー１１に取り付けられ、この取付軸１８は各踏み桟３1 〜３n の前側壁に貫設された長孔１９（仮想線図示）に挿通されている。
【０００４】
梯子Ｂが伸縮している時は、図７の例えば梯子部材１3 側のストッパーピン１２について説明すると、ストッパーピン１２の先端部１２ａは、側枠部材２3 のピン挿通孔１４から突出するが、上段側の梯子部材１4 の側枠部材２4 に当接した状態にある。しかして、梯子伸張時に最上段の門形梯子部材１n の踏み桟３n を引き上げてゆくと、上から２段目の梯子部材のストッパーピン１２の先端部１２ａが最上段の梯子部材１n の側枠部材２n の下端部に設けてある係止用ピン孔（図示省略）に突入してロックされ、それにより上から２段目の梯子部材が引っ張られて上から３段目の梯子部材のストッパーピン１２の先端部１２ａが上から２段目の梯子部材の側枠部材下端部の係止用ピン孔（図示省略）に突入してロックされ、以降同様にして順次図６の(a) に示すような伸張状態となる。
【０００５】
図６の(a) に示す伸張状態から(b) に示す収縮状態に折り畳む時は、最下段側梯子部材１1 の踏み桟３1 にある操作片１７をコイルバネ１５に抗してスライド操作させて、ストッパーピン１２をロック解除すれば、下から２番目の梯子部材１2 の側枠部材２2 が最下段側梯子部材１1 の側枠部材２1 内に落ち込んで下から２番目の梯子部材１2 が最下段の梯子部材１1 に折り畳まれる。以降同様な操作を行って順次折り畳むことにより、図６の(b) に示す収縮状態となる。
【発明の開示】
【発明が解決しようとする課題】
【０００６】
上記従来の伸縮梯子Ｂは、図７に示すように、梯子収縮時において上下に隣り合う門形梯子部材１1 〜１n の踏み桟３2 〜３4 相互間の間隔ｓが６ｍｍと狭いため、図６の(a)
に示す伸張状態から(b) に示す収縮状態に折り畳み収縮作業を行う際に、上下に隣り合う踏み桟と踏み桟との間で作業者の手指を挟むことがあり、特に下段側における折り畳み収縮作業ではその上方側にある多数段の門形梯子部材によって相当な荷重が作用することから、非常に危険であった。
【０００７】
本発明は、上記のような課題に鑑みてなされたもので、梯子収縮時における指詰め防止を図り、梯子伸縮作業を安全に行えるようにした伸縮梯子を提供することを目的とする。
【課題を解決するための手段】
【０００８】
上記課題を解決するための手段を、後述する実施形態の参照符号を付して説明すると、請求項１に係る発明は、両側一対の筒状側枠部材２1 〜２n ，２1 〜２n と両側枠部材２1 〜２n ，２1 〜２n の上端部間に横架される踏み桟３1 〜３n とで門形に形成されて上下複数段に配置される門形梯子部材１1 〜１n の側枠部材２1 〜２n どうしを入れ子式に嵌合してなる伸縮梯子において、梯子収縮時に上下に隣り合う門形梯子部材１1 〜１n の踏み桟３1 〜３n 間で作業者の指を詰めるのを防止するためにその指詰め防止に必要な踏み桟３1 〜３n 間の間隔Ｓを保持する間隔保持手段６を設け、該間隔保持手段６は、各門形梯子部材１1 〜１n の各側枠部材２1 〜２n 上端部に嵌合固定される踏み桟取付用短管部材４1 〜４n の上端部又は下端部を指詰め防止に必要な踏み桟３1 〜３n 間の間隔Ｓが確保されるように上方又は下方へ所要長さだけ延長することによって形成された延長管部７からなることを特徴とする。
【００１０】
請求項２は、両側一対の筒状側枠部材２1 〜２n ，２1 〜２n と両側枠部材２1 〜２n ，２1 〜２n の上端部間に横架される踏み桟３1 〜３n とで門形に形成されて上下複数段に配置される門形梯子部材１1 〜１n の側枠部材２1 〜２n どうしを入れ子式に嵌合してなる伸縮梯子において、梯子収縮時に上下に隣り合う門形梯子部材１1 〜１n の踏み桟３1 〜３n 間で作業者の指を詰めるのを防止するためにその指詰め防止に必要な踏み桟３1 〜３n 間の間隔Ｓを保持する間隔保持手段６を設け、該間隔保持手段６は、各門形梯子部材１1 〜１n の各側枠部材２1 〜２n 上端部に嵌合固定される踏み桟取付用短管部材４1 〜４n の下端又は上端に一端が接するように各側枠部材２1 〜２n に嵌合される衝撃緩和用リング１５1 〜１５n であって、指詰め防止に必要な踏み桟３1 〜３n 間の間隔Ｓが確保されるようにリング幅が拡張された衝撃緩和用リング１５1 〜１５n からなることを特徴とする。
【発明の効果】
【００１１】
上記解決手段による発明の効果を、後述する実施形態の参照符号を付して説明すると、請求項１に係る発明によれば、梯子収縮時に上下に隣り合う門形梯子部材１1 〜１n の踏み桟３1 〜３n 間で作業者の指を詰めるのを防止するためその指詰め防止に必要な踏み桟３1 〜３n 相互間の間隔Ｓを保持する間隔保持手段６を各門形梯子部材１1 〜１n に設けていることから、この梯子Ａを伸張状態から収縮状態に折り畳み収縮作業を行う際に、上下に隣り合う踏み桟３1 〜３n 相互間で作業者の手指を挟むことがなくなり、その折り畳み収縮作業を安全に行うことができる。
【００１２】
また本発明によれば、間隔保持手段６は、各門形梯子部材１1 〜１n の各側枠部材２1 〜２n 上端部に嵌合固定される踏み桟取付用短管部材４1 〜４n の上端部又は下端部を指詰め防止に必要な踏み桟間の間隔Ｓが確保されるように上方又は下方へ所要長さだけ延長することによって形成された延長管部７からなるため、踏み桟取付用短管部材４1 〜４n の製作時には各踏み桟取付用短管部材４1 〜４n の上端部を所要長さ上方へ延設すればよいから、製作が容易となる。
【００１３】
請求項２に係る発明によれば、両側一対の筒状側枠部材２1 〜２n ，２1 〜２n と両側枠部材２1 〜２n ，２1 〜２n の上端部間に横架される踏み桟３1 〜３n とで門形に形成されて上下複数段に配置される門形梯子部材１1 〜１n の側枠部材２1 〜２n どうしを入れ子式に嵌合してなる伸縮梯子において、梯子収縮時に上下に隣り合う門形梯子部材１1 〜１n の踏み桟３1 〜３n 間で作業者の指を詰めるのを防止するためにその指詰め防止に必要な踏み桟３1 〜３n 間の間隔Ｓを保持する間隔保持手段６を設け、該間隔保持手段６が、各門形梯子部材１1 〜１n の各側枠部材２1 〜２n 上端部に嵌合固定される踏み桟取付用短管部材４1 〜４n の下端又は上端に一端が接するよう各側枠部材２1 〜２n に嵌合される衝撃緩和用リング１５1 〜１５n であって、指詰め防止に必要な踏み桟３1 〜３n 間の間隔Ｓが確保されるようにリング幅の拡張された衝撃緩和用リング１５1 〜１５n からなるものによれば、従来使用されている伸縮梯子にリング幅の拡張された衝撃緩和用リング１５1 〜１５n を取り付ければよいから、従来の伸縮梯子をそのまま利用できる利点がある。
【発明を実施するための最良の形態】
【００１４】
以下に本発明の好適な実施形態を図面に基づいて説明すると、図１は本発明に係る伸縮梯子Ａを収縮状態で示す正面図、図２の(a) は図１のＸ−Ｘ線断面図、(b) は(a) の矢印Ｙで示す部分の拡大図、図３は縮状態における伸縮梯子Ａの例えば下から２番目〜４番目の門形梯子部材１2 〜１4 の一部拡大断面図である。
【００１５】
この伸縮梯子Ａは、図６、図７に示す従来の伸縮梯子Ｂと同様に、各門形梯子部材１1 〜１n が、両側一対の筒状側枠部材２1 〜２n ，２1 〜２n と、両側枠部材２1 〜２n ，２1 〜２n の上端部に横架連結した踏み桟３1 〜３n とからなるもので、各踏み桟３1 〜３n の両端部は、両側枠部材２1 〜２n ，２1 〜２n の夫々上端部に嵌合固定された踏み桟取付用短管部材４1 〜４n に一体的に連結されていて、各踏み桟取付用短管部材４1 〜４n の下端側には、梯子収縮時に上下に隣り合う短管部材４1 〜４n どうしが衝当する際の衝撃を緩和するためのゴム製の衝撃緩和用リング５1 〜５n が側枠部材２1 〜２n に嵌合して取り付けられている。
【００１６】
そして、この伸縮梯子Ａが従来の伸縮梯子Ｂと異なるところは、梯子収縮時に上下に隣り合う門形梯子部材１1 〜１n の踏み桟３1 〜３n 間で作業者の指を詰めるのを防止するためにその指詰め防止に必要な踏み桟３1 〜３n 相互間の間隔Ｓを保持する間隔保持手段６を各門形梯子部材１1 〜１n に設けたことである。
【００１７】
各間隔保持手段６は、図３に示すように、各門形梯子部材１1 〜１n の各側枠部材４1 〜４n 上端部に嵌合固定される踏み桟取付用短管部材４1 〜４n の上端部を指詰め防止に必要な踏み桟間の間隔Ｓが確保されるように上方へ所要長さδだけ延長することによって形成された延長管部７からなるものである。この場合、指詰め防止に必要な踏み桟３1 〜３n 相互間の間隔Ｓは１５ｍｍ程度とされる。従って、各衝撃緩和用リング５1 〜５n のリング幅ｗ（軸方向長さ）を４ｍｍとし、各踏み桟取付用短管部材４1 〜４n （延長管部７を除く）の上端と各踏み桟３1 〜３n の上端との距離ηを２ｍｍとすれば、延長管部６の軸方向長さηは、１５ｍｍ−４ｍｍ−２ｍｍ＝９ｍｍとされる。
【００１８】
各門形梯子部材１1 〜１n には各踏み桟３1 〜３n の両端部に、従来の伸縮梯子Ｂと同じ様に、梯子伸張時に上段側梯子部材の踏み桟と下段側の踏み桟とを一定間隔に保持するためのストッパー手段９が設けられている。このストッパー手段９については、図７で説明した従来の伸縮梯子Ｂと同じ構造であるため、図３には図７に示す従来の梯子Ｂと同じ符号を付して、その説明を省略する。
【００１９】
上記のような構成よりなる本発明に係る伸縮梯子Ａによれば、梯子収縮時に上下に隣り合う門形梯子部材１1 〜１n の踏み桟３1 〜３n 間で作業者の指を詰めるのを防止するためその指詰め防止に必要な踏み桟３1 〜３n 相互間の間隔Ｓを例えば１５ｍｍに保持する間隔保持手段６を各門形梯子部材１1 〜１n に設けていることから、この梯子Ａを伸張状態（図６の(a) 参照）から収縮状態（図６の(b) 参照）に折り畳み収縮作業を行う際に、上下に隣り合う踏み桟３1 〜３n 相互間で作業者の手指を挟むことがなくなり、その折り畳み収縮作業を安全に行うことができる。
【００２０】
図４の(a) は本発明に係る改良型伸縮梯子Ａの収縮状態を示す正面図、(b) は従来型伸縮梯子Ｂの収縮状態を示す正面図で、(a) ，(b) を比較すれば分かるように、改良型伸縮梯子Ａは収縮状態において従来型伸縮梯子Ｂより丈が若干高くなるが、上下に隣り合う門形梯子部材１1 〜１n の踏み桟３1 〜３n 間が間隔保持手段６によって指詰め防止に必要な間隔Ｓに保持されるから、作業者の手指を挟むことがない。
【００２１】
上記間隔保持手段６は、図２及び図３に示すように、各門形梯子部材１1 〜１n の各側枠部材２1 〜２n 上端部に嵌合固定される踏み桟取付用短管部材４1 〜４n の上端部又は下端部を指詰め防止に必要な踏み桟３1 〜３n 間の間隔Ｓが確保されるように上方又は下方へ所要長さだけ延長することによって形成された延長管部７からなるものであって、梯子収縮時には、図３に示すように、上下に隣り合う門形梯子部材１1 〜１n の上段側梯子部材の踏み桟取付用短管部材４1 〜４n の下端に取り付けてある衝撃緩和用リング５1 〜５n が下段側梯子部材の踏み桟取付用短管部材４1 〜４n の上端部にある延長管部７に当接した状態となり、しかして上下に隣り合う踏み桟３1 〜３n 相互間の間隔Ｓは、１５ｍｍ程度と広いから、指詰めを有効に防止することができる。
【００２２】
このように間隔保持手段６が踏み桟取付用短管部材４1 〜４n の上端部を上方へ所要長さだけ延長することによって形成された延長管部７からなる場合は、踏み桟取付用短管部材４1 〜４n の製作時には各踏み桟取付用短管部材４1 〜４n の上端部を所要長さ上方へ延設すればよいから、製作が容易となる。尚、この延長管部７は、各踏み桟取付用短管部材４1 〜４n の下端部を下方へ所要長さだけ延長することによって形成してもよい。
【００２３】
また図１〜図３に示す実施形態では、各間隔保持手段６を、各門形梯子部材１1 〜１n の各側枠部材２1 〜２n 上端部に嵌合固定される踏み桟取付用短管部材４1 〜４n の上端部（又は下端部）を指詰め防止に必要な踏み桟間の間隔Ｓが確保されるように上方（又は下方）へ所要長さだけ延長して形成した延長管部７からなるものとしたが、他の間隔保持手段６としては、図５に示すように、各門形梯子部材１1 〜１の各側枠部材２1 〜２n 上端部に嵌合固定される踏み桟取付用短管部材４1 〜４n の下端に一端が接するように各側枠部材２1 〜２n に嵌合される衝撃緩和用リング１５1 〜１５n であって、指詰め防止に必要な踏み桟間の間隔Ｓが確保されるようにリング幅が拡張された（拡張されたリング幅をＷで示す）衝撃緩和用リング１５1 〜１５n からなるものでもよい。この撃緩和用リング１５1 〜１５n は、踏み桟取付用短管部材４1 〜４n の上端に一端が接するように各側枠部材２1 〜２n に嵌合されるものでもよい。
【００２４】
図５に示す梯子Ａの場合、指詰め防止に必要な踏み桟３1 〜３n 相互間の間隔Ｓを１５ｍｍとして、各踏み桟取付用短管部材４1 〜４n の上端と各踏み桟３1 〜３n の上端との距離ηを２ｍｍとすれば、各衝撃緩和用リング１５1 〜１５n の拡張リング幅Ｗは、１５ｍｍ−２ｍｍ＝１３ｍｍとされる。
【００２５】
このように間隔保持手段６が、各門形梯子部材１1 〜１n の各側枠部材２1 〜２n 上端部に嵌合固定される踏み桟取付用短管部材４1 〜４n の下端又は上端に一端が接するように各側枠部材２1 〜２n に嵌合される衝撃緩和用リング１５1 〜１５n であって、指詰め防止に必要な踏み桟３1 〜３n 間の間隔Ｓが確保されるようにリング幅の拡張された衝撃緩和用リング１５1 〜１５n からなるものによれば、従来使用されている伸縮梯子にリング幅の拡張された衝撃緩和用リング１５1 〜１５n を取り付ければよいから、従来の伸縮梯子をそのまま利用することもできる。
【図面の簡単な説明】
【００２６】
【図１】本発明に係る伸縮梯子Ａを収縮状態で示す正面図である。
【図２】(a) は図１のＸ−Ｘ線断面図、(b) は(a) の矢印Ｙで示す部分の拡大図である。
【図３】縮状態における伸縮梯子Ａの例えば下から２番目〜４番目の門形梯子で、材１2 〜１4 の一部拡大断面図である。
【図４】(a) は本発明に係る改良型伸縮梯子Ａの収縮状態を示す正面図、(b) は従来型伸縮梯子Ｂの収縮状態を示す正面図である。
【図５】間隔保持手段６の他の実施形態を示す図３と同様な断面図である。
【図６】(a) は従来のアルミ製伸縮梯子Ｂを伸張状態で示す斜視図、(b) は同伸縮梯子Ｂを収縮状態で示す斜視図である。
【図７】収縮状態における伸縮梯子Ｂの例えば下から２番目〜４番目の門形梯子部材１2 〜１4 の一部拡大断面図である。
【符号の説明】
【００２７】
Ａ                    本発明の改良型伸縮梯子
Ｂ                    従来型伸縮梯子
１1 〜１n             門形梯子部材
２1 〜２n             側枠部材
３1 〜３n             踏み桟
４1 〜４n             踏み桟取付用短管部材指詰め
５1 〜５n             衝撃緩和用リング
６                    間隔保持手段
７                    踏み桟取付用短管部材の延長管部
９                    ストッパー手段
１５1 〜１５n         衝撃緩和用リング
【図１】
0004580346.tif 000002
【図２】
0004580346.tif 000003
【図３】
0004580346.tif 000004
【図４】
0004580346.tif 000005
【図５】
0004580346.tif 000006
【図６】
0004580346.tif 000007
【図７】
0004580346.tif 000008